(57)【要約】【課題】ダイバーシティ受信装置において受信性能を劣化させること無く全体の消費電力を低減する。【解決手段】複数系統の受信手段１０２、１０３とＡＦＣ及び同期手段１０６、１０７と復調手段１０８、１０９とを接続した処理回路と、各受信手段の出力信号の強度を検出し受信強度検出信号を出力する受信信号強度検出手段１０４，１０５と、各受信強度検出信号に応じて所定の判定基準に基づき復調信号の合成パターンとして１系統を選択するか複数系統を選択して復調信号を加算するかを決定し、非選択系統に対するクロック供給の停止を要求する複数系統のクロック停止制御信号と選択系統の復調信号の合成パターンを指定する合成パターン選択信号とを出力する制御手段１１１と、クロック停止制御信号に応じて非選択系統のＡＦＣ及び同期手段と復調手段とに対するクロック供給を停止する複数系統のクロック供給手段１１２、１１３と、合成パターン選択信号に応じて選択系統の復調信号の合成を行う合成手段１１０とを備える。【選択図】図１
2007158515.tif 000002
【特許請求の範囲】
【請求項１】
複数の系統から少なくとも１つの受信信号を選択するダイバーシティ受信装置であって、
選択した系統以外への電力供給を停止する手段を備えるダイバーシティ受信装置。
【請求項２】
各系統の受信信号を時分割処理により統合する手段を備える請求項１記載のダイバーシティ受信装置。
【請求項３】
各系統に設けられたアンテナで受信した信号を異なる系統へ案内する手段を備える請求項１又は２記載のダイバーシティ受信装置。
【請求項４】
最大強度の受信信号を選択する選択合成ダイバーシティと、全ての受信信号を加算する加算合成ダイバーシティとを受信信号の強度に応じて選択する手段を備える請求項１から３の何れか一項記載のダイバーシティ受信装置。
【請求項５】
最大強度の受信信号と次位の強度の受信信号との差に応じて前記選択合成ダイバーシティ又は前記加算合成ダイバーシティを選択する手段を備える請求項４記載のダイバーシティ受信装置。
【請求項６】
受信信号の相関値と受信信号の平均電力との差が最も大きい系統の受信信号を選択する手段を備える請求項４記載のダイバーシティ受信装置。
【請求項７】
合成した受信信号の変調方式に基づいて前記選択合成ダイバーシティ又は前記加算合成ダイバーシティを選択する手段を備える請求項４記載のダイバーシティ受信装置。
【請求項８】
受信信号の強度に基づいて判定した回線品質を示す信号を受信信号のシンボル検出に同期させて各系統の処理時間分遅延させる手段と、
前記回線品質に基づいて前記選択合成ダイバーシティ又は前記加算合成ダイバーシティを選択する手段とを備える請求項１又は４記載のダイバーシティ受信装置。
【請求項９】
複数の系統から少なくとも１つの受信信号を外部からの指示に基づいて選択する手段を備える請求項１記載のダイバーシティ受信装置。
【請求項１０】
前記選択合成ダイバーシティ又は前記加算合成ダイバーシティを外部からの指示に基づいて選択する手段を備える請求項４記載のダイバーシティ受信装置。
【発明の詳細な説明】
【技術分野】
【０００１】
本発明は、複数の系統から少なくとも１つの受信信号を選択するダイバーシティ受信装置に関する。
【背景技術】
【０００２】
移動体通信等では、マルチパスフェージングによる受信信号の劣化を改善するために、複数アンテナの受信信号または複数系統の復調信号を合成するダイバーシティ受信方式が採用されている。特に独立した複数系統の復調信号を合成するダイバーシティ受信方式は最も受信感度の向上が得られる。
【０００３】
図１４は従来のダイバーシティ受信装置の構成例を示すブロック図である。なお、ここでは複数系統として２系統の場合を示している。 図１４において、アンテナ２００、２０１に受信された信号Ｓ１００、Ｓ１０１はそれぞれ受信機２０２、２０３に入力され、ベースバンド帯の受信信号Ｓ１０２、Ｓ１０３がそれぞれ出力される。受信信号Ｓ１０２、Ｓ１０３はそれぞれＡＦＣ及び同期手段２０６、２０７に入力される。ＡＦＣ及び同期手段２０６、２０７でＡＦＣ（Ａｕｔｏ  Ｆｒｅｑｕｅｎｃｙ  Ｃｏｎｔｒｏｌ）処理及びシンボル同期処理された受信信号Ｓ１０４、Ｓ１０５は、それぞれ復調手段２０８、２０９に入力される。受信信号Ｓ１０２、Ｓ１０３はそれぞれ受信信号強度検出手段２０４、２０５に入力され、それぞれから出力される受信強度検出信号Ｓ１０９、Ｓ１１０は比較手段２１１に入力される。各復調手段２０６、２０７で復調処理された復調信号Ｓ１０６、Ｓ１０７と比較手段２１１の出力が合成手段２０８に入力される。合成手段２０８では比較手段２１１の出力に応じて合成処理された合成信号１０８を出力する。
【０００４】
上記構成により、複数系統に回線品質の差がある場合に、各系統の回線品質に応じて復調信号を合成することができる。しかしながら、フェージングにより受信強度が低下して信号対雑音電力比の劣化している系統がある場合に、その系統のＡＦＣ回路動作の安定性を欠き、ダイバーシティ利得が劣化することがある。この問題を複数系統の信号を共通に利用することにより解決する技術が特許文献１に開示されている。
【特許文献１】特開平７−３８４７８号公報
【発明の開示】
【発明が解決しようとする課題】
【０００５】
上記従来例に示したダイバーシティ受信回路の構成では、各系統毎に受信手段２０２、２０３とＡＦＣ及び同期手段２０６、２０７と復調手段２０８、２０９が独立動作する構成になっている。その結果、受信性能の向上は図られるが、選択されない回路系も常に作動しているため消費電力の増加が問題となっていた。また、フェージングにより受信強度が低下し信号対雑音電力比の劣化している系統がある場合に、ダイバーシティ利得の劣化を防ぐための、より効果的な受信性能の向上対策が望まれる。
【０００６】
本発明は、受信性能を劣化させること無く全体の消費電力を低減することができるダイバーシティ受信装置を提供することを目的とする。さらに本発明は、各系統の回線品質に差がある場合に効果的にダイバーシティ利得の劣化を防ぐことができるダイバーシティ受信装置を提供することを目的とする。
【課題を解決するための手段】
【０００７】
本発明は、複数の系統から少なくとも１つの受信信号を選択するダイバーシティ受信装置であって、選択した系統以外への電力供給を停止する手段を備える。この構成によれば、選択した系統以外への電力供給を停止することで、受信性能を劣化させること無く全体の消費電力を低減することができる。本発明の態様は、複数のアンテナに到来する受信信号をそれぞれ受信する複数系統の受信手段と、それら受信手段の出力信号をそれぞれＡＦＣ処理及び同期処理する複数系統のＡＦＣ及び同期手段と、それらＡＦＣ及び同期手段の出力信号をそれぞれ復調し復調信号を出力する複数系統の復調手段と、前記受信手段の出力信号の強度をそれぞれ検出し受信強度検出信号を出力する複数系統の回線品質検出手段と、前記受信強度検出信号に応じて所定の判定基準に基づき復調信号の合成パターンとして１系統を選択する選択合成ダイバーシティあるいは複数系統を選択して復調信号を加算する加算合成ダイバーシティのいずれかを決定し、選択がされなかった非選択系統に対するクロック供給の停止をそれぞれ要求する複数系統のクロック停止制御信号と選択がされた選択系統の復調信号の合成パターンを指定する合成パターン選択信号とを出力する制御手段と、前記クロック停止制御信号に応じて非選択系統のＡＦＣ及び同期手段と復調手段とに対するクロック供給を停止する複数系統のクロック供給手段と、前記合成パターン選択信号に応じて選択系統の復調信号の合成を行う合成手段とを備える。
【０００８】
本発明において、各系統の受信信号を時分割処理により統合する手段を備える。この構成によれば、複数系統の受信信号を時分割処理により統合することで、回路規模の削減が可能となる。本発明の態様は、複数のアンテナに到来する受信信号をそれぞれ受信する複数系統の受信手段と、それら受信手段の出力信号を時分割でＡＦＣ処理及び同期処理するＡＦＣ及び同期手段と、このＡＦＣ及び同期手段の出力信号を時分割で復調し複数系統の復調信号を出力する復調手段と、前記受信手段の出力信号の強度をそれぞれ検出し受信強度検出信号を出力する複数系統の受信強度検出手段と、前記受信強度検出信号に応じて所定の判定基準に基づき復調信号の合成パターンとして１系統を選択する選択合成ダイバーシティあるいは複数系統を選択して復調信号を加算する加算合成ダイバーシティのいずれかを決定し、選択がされなかった非選択系統を時分割処理の対象外とするように制御し、選択がされた選択系統の数に応じて時分割処理のクロック周期を指定するクロック周期制御信号と選択系統の復調信号の合成パターンを指定する合成パターン選択信号とを出力する制御手段と、前記クロック周期制御信号により指定された周期のクロックをＡＦＣ及び同期手段と復調手段とに供給するクロック供給手段と、前記合成パターン選択信号に応じて選択系統の復調信号の合成を行う合成手段とを備える。
【０００９】
本発明において、各系統に設けられたアンテナで受信した信号を異なる系統へ案内する手段を備える。この構成によれば、受信信号を任意の系統へ案内することが可能となるため、ダイバーシティに必要な受信信号を案内する系統を予め決めておくことができる。これにより選択系統以外で全ての回路ブロックへの電力供給を停止することが可能となるため、無線システムの中で一般に消費電力が大きいとされる高周波からベースバンド帯に変換する受信回路の電力を停止させることで、消費電力をより低減させることができる。本発明の態様は、複数のアンテナに到来する受信信号の一を選択して第１系統の受信手段に出力するアンテナ切り替え手段を備え、復調信号の合成パターンとして選択合成ダイバーシティが決定された場合は、前記制御手段はアンテナ切り替え手段に対して前記判定基準に基づき選択した系統のアンテナに到来する受信信号を選択することを要求するとともに、前記判定基準によらず第１系統を前記選択系統、第１系統以外の系統を前記非選択系統とするように制御し、非選択系統のクロック供給手段は当該系統の受信手段に対してもクロック供給を停止し、復調信号の合成パターンとして加算合成ダイバーシティが決定された場合は前記制御手段はアンテナ切り替え手段に対して第１系統のアンテナに到来する受信信号を選択することを要求するものである。
【００１０】
本発明において、最大強度の受信信号を選択する選択合成ダイバーシティと、全ての受信信号を加算する加算合成ダイバーシティとを受信信号の強度に応じて選択する手段を備える。この構成によれば、選択合成ダイバーシティと加算合成ダイバーシティとを受信信号の強度に応じて動的に切り替えることでができるため、合成パターンが固定されてしまうことがなくなるため、各系統の回線品質に差がある場合でも効果的にダイバーシティ利得の劣化を防ぐことができる。
【００１１】
本発明において、最大強度の受信信号と次位の強度の受信信号との差に応じて前記選択合成ダイバーシティ又は前記加算合成ダイバーシティを選択する手段を備える。この構成によれば、最大強度の受信信号と次位の強度の受信信号との差を考慮して選択合成ダイバーシティ又は合成ダイバーシティを選択することで、さらに効果的にダイバーシティ利得の劣化を防ぐことができる。本発明の態様は、復調信号の合成パターンを決定する所定の判定基準は、複数の前記受信強度検出信号が所定の第１の閾値以上であるか、いずれか一の前記受信強度検出信号のみが前記第１の閾値以上でかつ強度が次位の受信強度検出信号との差が第２の閾値以上である場合は前記受信強度検出信号が最大の系統を選択する選択合成ダイバーシティし、いずれか一の前記受信強度検出信号のみが前記第１の閾値以上でかつ強度が次位の受信強度検出信号との差が第２の閾値に達しないか、いずれの前記受信強度検出信号も前記第１の閾値に達しない場合は全ての系統を選択して前記復調信号を加算する加算合成ダイバーシティとするものである。
【００１２】
本発明において、受信信号の相関値と受信信号の平均電力との差が最も大きい系統の受信信号を選択する手段を備える。この構成によれば、受信信号の相関値と平均電力との差が大きい系統を選ぶことで、信号歪みの小さくプリアンブルが理想的な系統を選択系統として決定することができる。本発明の態様は、ＡＦＣ及び同期手段はＡＦＣ処理及び同期処理を行う際に当該系統の相関検出信号と平均電力との差を出力し、復調信号の合成パターンを決定する所定の判定基準は、複数の前記受信強度検出信号が前記第１の閾値以上である場合に、前記受信強度検出信号が最大の系統を選択することに代えて前記相関検出信号と平均電力との差が大きい系統を選択する選択合成ダイバーシティとするものである。
【００１３】
本発明において、合成した受信信号の変調方式に基づいて前記選択合成ダイバーシティ又は前記加算合成ダイバーシティを選択する手段を備える。この構成によれば、受信信号の変調方式に応じて合成パターンを選択することができ、例えば、１６ＱＡＭ、６４ＱＡＭなどの多値化された変調方式では高い効果が得られる加算合成ダイバーシティを選択し、ＢＰＳＫ、ＱＰＳＫなどの変調方式の場合は選択合成ダイバーシティ選択することができる。本発明の態様は、復調信号の合成パターンを決定する所定の判定基準は受信信号の変調方式に対応させてそれぞれに選択合成ダイバーシティか加算合成ダイバーシティかの選択を定めたものであり、前記制御手段は前記受信強度検出信号によらず合成手段の出力において検出された受信信号の変調方式に応じて復調信号の合成パターンを選択するものである。
【００１４】
本発明は、受信信号の強度に基づいて判定した回線品質を示す信号を受信信号のシンボル検出に同期させて各系統の処理時間分遅延させる手段と、前記回線品質に基づいて前記選択合成ダイバーシティ又は前記加算合成ダイバーシティを選択する手段とを備える。この構成によれば、シンボル毎に合成パターンの選択を行うことができるため、高速な移動体等のシステムにおいても受信性能を劣化させることなく消費電力の低減を図ることができる。本発明の態様は、ＡＦＣ及び同期手段と復調手段は前記制御手段が出力するそれぞれの系統の回線品質信号をＡＦＣ及び同期手段によるシンボル検出に同期させてそれぞれの処理時間だけ遅延させ次段に伝達するとともに、前記回線品質信号が回線品質良好を示していない場合に当該系統を非選択系統の候補とする非選択候補信号をそれぞれ前記制御手段に出力し、前記制御手段は前記受信強度検出信号がそれぞれ第１の閾値以上であることを回線品質良好として示す複数系統の前記回線品質信号を出力するとともに、クロック供給手段の動作タイミングを前記非選択候補信号に応じて制御し、合成手段は前記合成パターン選択信号と復調手段が出力する回線品質信号とに応じて選択された系統の復調信号の合成を行うものである。
【００１５】
本発明において、複数の系統から少なくとも１つの受信信号を外部からの指示に基づいて選択する手段を備える。また、前記選択合成ダイバーシティ又は前記加算合成ダイバーシティを外部からの指示に基づいて選択する手段を備える。
【発明の効果】
【００１６】
本発明によれば、選択した系統以外への電力供給を停止することで、受信性能を劣化させること無く全体の消費電力を低減することができる。
【発明を実施するための最良の形態】
【００１７】
（実施の形態１）
図１は本発明の実施の形態１に係るダイバーシティ受信装置の構成を示すブロック図である。図１において、１００は第１アンテナ、１０１は第２アンテナ、１０２は第１系統の受信手段、１０３は第２系統の受信手段、１０４は第１系統の受信信号強度検出手段、１０５は第２系統の受信信号強度検出手段、１０６は第１系統のＡＦＣ及び同期手段、１０７は第２系統のＡＦＣ及び同期手段、１０８は第１系統の復調手段、１０９は第２系統の復調手段、１１０は合成手段、１１１は制御手段、１１２は第１系統のクロック発生手段、１１３は第２系統のクロック発生手段である。なお、ここでは複数系統として２系統の場合を示している。
【００１８】
上記構成において、受信手段１０２、１０３はアンテナ１００、１０１に到来した受信信号Ｓ０、Ｓ１をそれぞれ入力とし、それらをベースバンド帯の受信信号に変換し、受信信号Ｓ２、Ｓ３としてそれぞれ出力する。受信信号強度検出手段１０４、１０５は受信信号Ｓ２、Ｓ３をそれぞれ入力とし、受信信号の強度を検出し、受信強度検出信号Ｓ９、Ｓ１０をそれぞれ出力する。
【００１９】
ＡＦＣ及び同期手段１０６、１０７は受信べースバンド信号Ｓ２、Ｓ３をそれぞれ入力とし、ＡＦＣ処理及びシンボル同期検出処理を行い、処理後の受信信号Ｓ４、Ｓ５をそれぞれ出力する。復調手段１０８、１０９はＡＦＣ処理及びシンボル同期検出処理された受信信号Ｓ４、Ｓ５をそれぞれ入力とし、復調処理を行って復調信号Ｓ６、Ｓ７をそれぞれ出力する。
【００２０】
制御手段１１１は受信強度検出信号Ｓ９、Ｓ１０を入力とし、受信強度検出信号Ｓ９、Ｓ１０に応じて後述する判定基準に基づき復調信号の合成パターンを決定し、クロック停止制御信号Ｓ１１、Ｓ１２をそれぞれ出力し、合成パターンを選択する合成パターン選択信号Ｓ１３を出力する。
【００２１】
クロック発生手段１１２、１１３は、クロック停止制御信号Ｓ１１、Ｓ１２が有効なときはそれぞれクロック発生を停止させ、クロック停止制御信号Ｓ１１、Ｓ１２が無効なときはそれぞれクロックを発生させるよう制御し、それぞれＡＦＣ及び同期手段用クロックＳ１４、Ｓ１５と復調手段用クロックＳ１６、Ｓ１７を出力する。
【００２２】
合成手段１１０は、入力される合成パターン選択信号Ｓ１３に応じて合成パターンを選択し、復調信号Ｓ６、Ｓ７を合成して合成復調信号Ｓ８を出力する。ここでは合成パターンとして、復調信号Ｓ６、Ｓ７のどちらかを選択する選択合成ダイバーシティと、復調信号Ｓ６、Ｓ７を加算する加算合成ダイバーシティのいずれかを選択するものとする。一般に、受信性能は加算合成ダイバーシティが選択合成ダイバーシティに勝る。
【００２３】
以降各部の動作をより詳細に説明する。制御手段１１１には、受信強度検出信号Ｓ９、Ｓ１０と比較する第１の閾値と、受信強度検出信号Ｓ９とＳ１０の差と比較する第２の閾値が任意の値に設定できるものとする。第１の閾値はシステムに応じて十分受信できる受信強度を持った値とする。
【００２４】
第１の閾値に対する受信強度検出信号Ｓ９、Ｓ１０の比較結果と、第２の閾値に対する受信強度検出信号Ｓ９とＳ１０の差の比較結果とにより実施される合成パターンの選択例を図１５に示す。
【００２５】
受信強度検出信号Ｓ９、Ｓ１０がともに第１の閾値を超えなかった場合は、第２の閾値に対する受信強度検出信号Ｓ９とＳ１０の差の比較結果に関係なく、受信が困難な受信強度であると判断し、合成パターンの選択として２系統の復調信号Ｓ６、Ｓ７の加算合成を行うことで受信性能の向上を図る。
【００２６】
これにより、独立した２系統のＡＦＣ及び同期手段１０６、１０７と２系統の復調手段１０８、１０９に対する２系統のクロック停止制御信号Ｓ１１、Ｓ１２を無効にし、クロック発生手段１１２、１１３でのクロック発生を行う。
【００２７】
受信強度検出信号Ｓ９、Ｓ１０の一方のみが第１の閾値を超えた場合で、かつ受信強度検出信号Ｓ９とＳ１０の差が第２の閾値を超えなかった場合は、閾値を超えた系統の受信強度検出信号も受信可能な受信強度の限界付近にあって受信が困難な信号強度であると判断し、合成パターンの選択として２系統の復調信号Ｓ６、Ｓ７の加算合成を行うことで受信性能の向上を図る。
【００２８】
これにより、独立した２系統のＡＦＣ及び同期手段１０６、１０７と２系統の復調手段１０８、１０９に対する２系統のクロック停止制御信号Ｓ１１、Ｓ１２を無効にし、クロック発生手段１１２、１１３でのクロック発生を行う。
【００２９】
受信強度検出信号Ｓ９、Ｓ１０の一方のみが第１の閾値を超えた場合で、かつ受信強度検出信号Ｓ９とＳ１０の差が第２の閾値を超えた場合は、閾値を超えた系統の受信信号強度は十分受信が可能な信号強度であると判断し、合成パターンの選択として第１の閾値の超えた系統の受信信号の選択合成を行う。
【００３０】
これにより、例えば受信強度検出信号Ｓ９が第１の閾値を超えたとすると、受信強度検出信号Ｓ９を検出した系統のＡＦＣ及び同期手段１０６と復調手段１０８に対するクロック停止制御信号Ｓ１１を無効にし、第１の閾値を超えなかった受信強度検出信号Ｓ１０を検出した系統のＡＦＣ及び同期手段１０７と復調手段１０９に対するクロック停止制御信号Ｓ１２を有効にし、クロック発生手段１１２でのクロック発生を行い、クロック発生手段１１３でのクロックの発生を停止させることで、受信性能を劣化させることなく消費電力の低減を図ることができる。
【００３１】
受信強度検出信号Ｓ９、Ｓ１０がともに第１の閾値を超えた場合は、第２の閾値に対する受信強度検出信号Ｓ９とＳ１０の差の比較結果に関係なく、２系統ともに十分受信が可能な信号強度であると判断し、合成パターンの選択として受信強度の大きいほうの系統を選択する選択合成を行う。
【００３２】
これにより、例えば受信強度検出信号Ｓ９が受信強度Ｓ１０より大きかった場合は、受信強度検出信号Ｓ９を検出した系統のＡＦＣ及び同期手段１０６と復調手段１０８に対するクロック停止制御信号Ｓ１１を無効にし、受信強度検出信号Ｓ１０を検出した系統のＡＦＣ及び同期手段１０７と復調手段１０９に対するクロック停止制御信号Ｓ１２を有効にし、クロック発生手段１１２でのクロック発生を行い、クロック発生手段１１３でのクロックの発生を停止させることで、受信性能を劣化させることなく消費電力の低減を図ることができる。
【００３３】
以上のように、各系統の受信強度検出信号と、それらの受信強度検出信号の差に応じて各系統のクロック発生制御と合成パターンの選択を行うことにより、受信性能を劣化させることなく消費電力の低減を図ることができる。
【００３４】
なお、受信強度検出信号のみでクロック制御及び合成パターンの選択を制御しても良い。また、受信強度に応じて閾値を複数レベルに設定できるようにすることで、受信強度の弱いレベルでの閾値で受信強度検出信号が閾値を超えた場合に、閾値を超えた複数系統の復調信号を加算合成しても良い。以下に説明する各実施の形態においても同様である。
【００３５】
（実施の形態２）
図２は本発明の実施の形態２に係るダイバーシティ受信装置の構成を示すブロック図である。図２においては、図１に示した実施の形態１の構成に対してアンテナ切り替え手段１１４が追加された構成となっている。以下、実施の形態１との相違点を説明する。
【００３６】
アンテナ選択手段１１４は２本のアンテナ１００、１０１に到来した受信信号の中からアンテナ選択信号Ｓ１９に基づいて一方を選択し、これを受信信号Ｓ０として受信手段１０２に対して出力する。このようなアンテナ切り替え手段を使用したダイバーシティ方式をアンテナ選択合成ダイバーシティという。
【００３７】
制御手段１１１は受信強度検出信号Ｓ９、Ｓ１０を入力とし、受信強度検出信号Ｓ９、Ｓ１０に応じてクロック停止制御信号Ｓ１１、Ｓ１２をそれぞれ出力し、合成パターンを選択する合成パターン選択信号Ｓ１３とアンテナ選択信号Ｓ１９を出力する。
【００３８】
クロック発生手段１１３は、クロック停止制御信号Ｓ１２が有効なときはクロック発生を停止させ、クロック停止制御信号Ｓ１２が無効なときクロックを発生させるよう制御し、ＡＦＣ及び同期手段用クロックＳ１５と復調手段用クロックＳ１７に加えて受信手段用クロックＳ１８の供給停止を行う。上記以外は実施の形態１の構成と同様である。
【００３９】
一般に、アンテナ切り替え手段を使用したダイバーシティ方式の受信性能においては、加算合成ダイバーシティが選択合成ダイバーシティに勝り、これらがアンテナ選択合成ダイバーシティに勝る。
【００４０】
以降各部の動作をより詳細に説明する。受信動作開始時はアンテナ切り替え手段１１４はアンテナ１００を常に選択するものとし、受信手段１０２はアンテナ１００で受信された受信信号Ｓ０をベースバンド帯の受信信号Ｓ２に変換し、受信手段１０３はアンテナ１０１で受信された受信信号Ｓ１をベースバンド帯の受信信号Ｓ３に変換し、それぞれ出力する。
【００４１】
制御手段１１１には、実施の形態１と同様に、受信強度検出信号Ｓ９、Ｓ１０と比較する第１の閾値と、受信強度検出信号Ｓ９とＳ１０の差と比較する第２の閾値が任意の値に設定できるものとする。第１の閾値はシステムに応じて十分受信できる受信強度を持った値とする。
【００４２】
第１の閾値に対する受信強度検出信号Ｓ９、Ｓ１０の比較結果と、第２の閾値に対する受信強度検出信号Ｓ９とＳ１０の差の比較結果とにより実施される合成パターンの選択例を図１６に示す。受信強度検出信号Ｓ９、Ｓ１０がともに第１の閾値を超えた場合以外は、実施される合成パターンの選択処理動作は実施の形態１と同様である。
【００４３】
受信強度検出信号Ｓ９、Ｓ１０がともに第１の閾値を超えた場合は、第２の閾値に対する受信強度検出信号Ｓ９とＳ１０の差の比較結果に関係なく、２系統ともに十分受信が可能な信号強度であると判断し、アンテナ切り替え手段１１４でアンテナを切り替えてアンテナ選択合成ダイバーシティとする。
【００４４】
このとき、制御手段１１１は受信強度の大きい方の系統をアンテナ選択信号Ｓ１９で選択するようにアンテナ切り替え手段１１４を制御し、合成パターンの選択として復調手段１０８から出力される復調信号Ｓ６を常に選択する選択合成を行う。
【００４５】
例えば受信強度検出信号Ｓ１０が受信強度検出信号Ｓ９より大きかった場合は、受信強度検出信号Ｓ１０を検出した系統のアンテナ１０１をアンテナ選択信号Ｓ１９で選択するようにアンテナ切り替え手段１１４を制御し、ＡＦＣ及び同期手段１０６と復調手段１０８に対するクロック停止制御信号Ｓ１１を無効にし、受信手段１０３とＡＦＣ及び同期手段１０７と復調手段１０９に対するクロック停止制御信号Ｓ１２を有効にし、クロック発生手段１１２でのクロック発生を行い、クロック発生手段１１３で受信手段用クロックＳ１８とＡＦＣ及び同期手段用クロックＳ１５と復調手段用クロックＳ１７の発生を停止させる。
【００４６】
これにより、無線システムの中で一般に消費電力が大きいとされる高周波からベースバンド帯に変換する受信手段のクロックを停止させることができ、受信性能を劣化させることなくさらに消費電力の低減を図ることができる。
【００４７】
また、アンテナ選択合成ダイバーシティを選択した後は以下のように受信強度の検出を行う。まず、アンテナ切り替え手段１１４においてアンテナ選択信号Ｓ１９でアンテナ１００を選択し、受信信号強度検出手段１０４で受信手段１０２から出力される受信信号Ｓ２の強度検出を行い、アンテナ１００で受信した信号の受信強度検出信号Ｓ９として出力する。
【００４８】
次に、アンテナ切り替え手段１１４においてアンテナ選択信号Ｓ１９でアンテナ１０１を選択し、受信信号強度検出手段１０４で受信手段１０２から出力される受信信号Ｓ２の強度検出を行い、アンテナ１０１で受信した信号の受信強度検出信号Ｓ９として出力することで、２つのアンテナ１００、１０１の受信強度検出信号をシリアルに検出する。
【００４９】
以上のように、各系統の受信強度検出信号と、それらの受信強度検出信号の差に応じて各系統のクロック発生制御と合成パターンの選択を行うことにより、受信性能を劣化させることなく消費電力の低減を図ることができる。
【００５０】
（実施の形態３）
図３は本発明の実施の形態３に係るダイバーシティ受信装置の構成を示すブロック図である。図３において、１００は第１アンテナ、１０１は第２アンテナ、１０２は第１系統の受信手段、１０３は第２系統の受信手段、１０４は第１系統の受信信号強度検出手段、１０５は第２系統の受信信号強度検出手段、１１５は時分割処理を行うＡＦＣ及び同期手段、１１６は時分割処理を行う復調手段、１１０は合成手段、１１１は制御手段、１１７はクロック発生手段である。なお、ここでは複数系統として２系統の場合を示している。
【００５１】
なお、時分割処理とは、１系統分の処理に２０ＭＨｚのクロック周波数が必要である場合に、２系統分処理するために４０ＭＨｚのクロック周波数を用い、演算処理系を共用化してメモリ等（データを保持する手段）を２倍持つことにより１系統で２系統の処理を行うことである。一般に、独立した２系統のＡＦＣ及び同期手段と復調手段を持つよりは、時分割処理ができる１系統のＡＦＣ及び同期手段と復調手段の方が回路規模は少ない。
【００５２】
上記構成において、受信手段１０２、１０３はアンテナ１００、１０１に到来した受信信号Ｓ０、Ｓ１をそれぞれ入力とし、それらをベースバンド帯の受信信号に変換し、受信信号Ｓ２、Ｓ３としてそれぞれ出力する。受信信号強度検出手段１０４、１０５は受信信号Ｓ２、Ｓ３をそれぞれ入力とし、受信信号の強度を検出し、受信強度検出信号Ｓ９、Ｓ１０をそれぞれ出力する。
【００５３】
ＡＦＣ及び同期手段１１５は、受信べースバンド信号Ｓ２、Ｓ３を入力として時分割でＡＦＣ処理及びシンボル同期検出処理を行い、処理後の受信信号Ｓ４、Ｓ５を出力する。復調手段１１６は、ＡＦＣ処理及びシンボル同期検出処理された受信信号Ｓ４、Ｓ５を入力して時分割で復調処理を行い、処理後の復調信号Ｓ６、Ｓ７を出力する。
【００５４】
制御手段１１１は受信強度検出信号Ｓ９、Ｓ１０を入力とし、受信強度検出信号Ｓ９、Ｓ１０に応じて後述する判定基準に基づき復調信号の合成パターンを決定し、クロック周期制御信号Ｓ２０と合成パターンを選択する合成パターン選択信号Ｓ１３を出力する。
【００５５】
クロック発生手段１１７はクロック周期制御信号Ｓ２０に応じてクロックの周期を切り替え、ＡＦＣ及び同期手段用クロックＳ２１と復調手段用クロックＳ２２を出力する。
【００５６】
合成手段１１０は、入力される合成パターン選択信号Ｓ１３に応じて合成パターンを選択し、復調信号Ｓ６、Ｓ７を合成して合成復調信号Ｓ８を出力する。ここでは合成パターンとして、復調信号Ｓ６、Ｓ７のどちらかを選択する選択合成ダイバーシティと、復調信号Ｓ６、Ｓ７を加算する加算合成ダイバーシティのいずれかを選択するものとする。
【００５７】
本実施の形態では、時分割処理を行うＡＦＣ及び同期手段１１５と時分割処理を行う復調手段１１６は、１系統の処理を行う場合は２０ＭＨｚで、２系統を時分割処理する場合は４０ＭＨｚで動作するものとする。
【００５８】
以降各部の動作をより詳細に説明する。制御手段１１１には、実施の形態１と同様に、受信強度検出信号Ｓ９、Ｓ１０と比較する第１の閾値と、受信強度検出信号Ｓ９とＳ１０の差と比較する第２の閾値が任意の値に設定できるものとする。第１の閾値はシステムに応じて十分受信できる受信強度を持った値とする。
【００５９】
第１の閾値に対する受信強度検出信号Ｓ９、Ｓ１０の比較結果と、第２の閾値に対する受信強度検出信号Ｓ９とＳ１０の差の比較結果とにより実施される合成パターンの選択は実施の形態１と同様であり、図１５はその選択例を示している。
【００６０】
受信強度検出信号Ｓ９、Ｓ１０がともに第１の閾値を超えなかった場合は、第２の閾値に対する受信強度検出信号Ｓ９とＳ１０の差の比較結果に関係なく、受信が困難な受信強度であると判断し、合成パターンの選択として２系統の復調信号Ｓ６、Ｓ７の加算合成を行うことで受信性能の向上を図る。
【００６１】
これにより、時分割処理を行うＡＦＣ及び同期手段１１５と時分割処理を行う復調手段１１６のクロック周期制御信号Ｓ２０を４０ＭＨｚとするように制御し、クロック発生手段１１７では４０ＭＨｚのクロック発生を行う。
【００６２】
受信強度検出信号Ｓ９、Ｓ１０の一方のみが第１の閾値を超えた場合で、かつ受信強度検出信号Ｓ９とＳ１０の差が第２の閾値を超えなかった場合は、閾値を超えた系統の受信強度検出信号も受信可能な受信強度の限界付近にあって受信が困難な信号強度であると判断し、合成パターンの選択として２系統の復調信号Ｓ６、Ｓ７の加算合成を行うことで受信性能の向上を図る。
【００６３】
これにより、時分割処理を行うＡＦＣ及び同期手段１１５と時分割処理を行う復調手段１１６のクロック周期制御信号Ｓ２０を４０ＭＨｚとするように制御し、クロック発生手段１１７では４０ＭＨｚのクロック発生を行う。
【００６４】
受信強度検出信号Ｓ９、Ｓ１０の一方のみが第１の閾値を超えた場合で、かつ受信強度検出信号Ｓ９とＳ１０の差が第２の閾値を超えた場合は、閾値を超えた系統の受信信号強度は十分受信が可能な信号強度であると判断し、合成パターンの選択として第１の閾値の超えた系統の受信信号の選択合成を行う。
【００６５】
これにより、例えば受信強度検出信号Ｓ９が閾値を超えたとすると、受信強度検出信号Ｓ９を検出した系統の処理を行うようにＡＦＣ及び同期手段１１５と復調手段１１６のクロック周期制御信号Ｓ２０を２０ＭＨｚにするように制御し、クロック発生手段１１７では２０ＭＨｚのクロック発生を行うことで、受信性能を劣化させることなく消費電力の低減を図ることができる。
【００６６】
受信強度検出信号Ｓ９、Ｓ１０がともに第１の閾値を超えた場合は、第２の閾値に対する受信強度検出信号Ｓ９とＳ１０の差の比較結果に関係なく、２系統ともに十分受信が可能な信号強度であると判断し、合成パターンの選択として受信強度の大きいほうの系統を選択する選択合成を行う。
【００６７】
これにより、例えば受信強度検出信号Ｓ９が受信強度検出信号Ｓ１０より大きかった場合は、受信強度検出信号Ｓ９を検出した系統の処理を行うようにＡＦＣ及び同期手段１１５と復調手段１１６のクロック周期制御信号Ｓ２０を２０ＭＨｚにするように制御し、クロック発生手段１１７で２０ＭＨｚのクロック発生を行うことで、受信性能を劣化させることなく消費電力の低減を図ることができる。
【００６８】
以上のように、各系統の受信強度検出信号と、それらの受信強度検出信号の差に応じて各系統のクロック発生制御と合成パターンの選択を行うことにより、受信性能を劣化させることなく消費電力の低減を図ることができる。
【００６９】
（実施の形態４）
図４は本発明の実施の形態４に係るダイバーシティ受信装置の構成を示すブロック図である。図４においては、図３に示した実施の形態３の構成に対してアンテナ切り替え手段１１４が追加された構成となっている。以下、実施の形態３との相違点を説明する。
【００７０】
アンテナ選択手段１１４は、実施の形態２と同様に、２本のアンテナ１００、１０１に到来した受信信号の中からアンテナ選択信号Ｓ１９に基づいて一方を選択し、これを受信信号Ｓ０として受信手段１０２に対して出力する。
【００７１】
制御手段１１１は受信強度検出信号Ｓ９、Ｓ１０を入力とし、受信強度検出信号Ｓ９、Ｓ１０に応じてクロック周期制御信号Ｓ２０とクロック停止制御信号Ｓ２３と合成パターンを選択する合成パターン選択信号Ｓ１３とアンテナ選択信号Ｓ１９を出力する。
【００７２】
クロック発生手段１１７は、クロック周期制御信号Ｓ２０に応じてクロックの周期を切り替え、ＡＦＣ及び同期手段用クロックＳ２１と復調手段用クロックＳ２２を出力するとともに、クロック停止制御信号Ｓ２３が無効であるか有効であるかに応じて第２系統の受信手段用クロックＳ１８の供給停止を行う。上記以外は実施の形態３の構成と同様である。
【００７３】
本実施の形態では、実施の形態３と同様に、時分割処理を行うＡＦＣ及び同期手段１１５と時分割処理を行う復調手段１１６は、１系統の処理を行う場合は２０ＭＨｚで、２系統を時分割処理する場合は４０ＭＨｚで動作するものとする。
【００７４】
以降各部の動作をより詳細に説明する。受信動作開始時はアンテナ切り替え手段１１４はアンテナ１００を常に選択するものとし、受信手段１０２はアンテナ１００で受信された受信信号Ｓ０をベースバンド帯の受信信号Ｓ２に変換し、受信手段１０３はアンテナ１０１で受信された受信信号Ｓ１をベースバンド帯の受信信号Ｓ３に変換し、それぞれ出力する。
【００７５】
制御手段１１１には、実施の形態３と同様に、受信強度検出信号Ｓ９、Ｓ１０と比較する第１の閾値と、受信強度検出信号Ｓ９とＳ１０の差と比較する第２の閾値が任意の値に設定できるものとする。第１の閾値はシステムに応じて十分受信できる受信強度を持った値とする。
【００７６】
第１の閾値に対する受信強度検出信号Ｓ９、Ｓ１０の比較結果と、第２の閾値に対する受信強度検出信号Ｓ９とＳ１０の差の比較結果とにより実施される合成パターンの選択は実施の形態２と同様であり、図１６はその選択例を示している。受信強度検出信号Ｓ９、Ｓ１０がともに第１の閾値を超えた場合以外は、実施される合成パターンの選択処理動作は実施の形態３と同様である。
【００７７】
受信強度検出信号Ｓ９、Ｓ１０がともに第１の閾値を超えた場合は、第２の閾値に対する受信強度検出信号Ｓ９とＳ１０の差の比較結果に関係なく、２系統ともに十分受信が可能な信号強度であると判断し、アンテナ切り替え手段１１４でアンテナを切り替えてアンテナ選択合成ダイバーシティとする。
【００７８】
このとき、制御手段１１１は受信強度の大きい方の系統をアンテナ選択信号Ｓ１９で選択するようにアンテナ切り替え手段１１４を制御し、合成パターンの選択として復調手段１０８から出力される復調信号Ｓ６を常に選択する選択合成を行う。
【００７９】
例えば受信強度検出信号Ｓ１０が受信強度検出信号Ｓ９より大きかった場合は、受信強度検出信号Ｓ１０を検出した系統のアンテナ１０１をアンテナ選択信号Ｓ１９で選択するようにアンテナ切り替え手段１１４を制御し、ＡＦＣ及び同期手段１１５と復調手段１１６のクロック周期制御信号Ｓ２０を２０ＭＨｚにするように制御し、クロック発生手段１１７で２０ＭＨｚのクロック発生を行い、第２系統の受信手段用クロックＳ１８発生を停止させる。
【００８０】
これにより、無線システムの中で一般に消費電力が大きいとされる高周波からベースバンド帯に変換する受信手段のクロックを停止させることができ、受信性能を劣化させることなくさらに消費電力の低減を図ることができる。なお、アンテナ選択合成ダイバーシティを選択した後における受信強度については実施の形態２と同様である。
【００８１】
以上のように、各系統の受信強度検出信号と、それらの受信強度検出信号の差に応じて各系統のクロック発生制御と合成パターンの選択を行うことにより、受信性能を劣化させることなく消費電力の低減を図ることができる。
【００８２】
（実施の形態５）
図５は本発明の実施の形態５に係るダイバーシティ受信装置の構成を示すブロック図である。図５においては、図２に示した実施の形態２の構成に対して、ＡＦＣ及び同期手段１０６、１０７がそれぞれＡＦＣ及び同期手段１１８、１１９で置き換えられ、変調方式検出手段１２０が追加された構成となっている。以下、実施の形態２との相違点を説明する。
【００８３】
ＡＦＣ及び同期手段１１８、１１９は、受信べースバンド信号Ｓ２、Ｓ３をそれぞれ入力としてＡＦＣ処理及びシンボル同期検出処理を行い、処理後の受信信号Ｓ４、Ｓ５に加えて、相関検出信号と平均電力の差信号Ｓ２４、Ｓ２５をそれぞれ出力する。
【００８４】
図７にＡＦＣ及び同期手段１１８の構成を示す。図７において、１１８０はＡＦＣ及び同期手段、１１８１は相関検出手段、１１８２は平均電力測定手段、１１８３は減算手段である。
【００８５】
相関検出手段１１８１は既知信号からなるプリアンブルを使って相関を検出し、ＡＦＣ及び同期手段１１８０はその相関検出信号Ｓ３７からＡＦＣ処理及びシンボル同期処理を行う。ＡＦＣ及び同期手段１１９も同様の構成である。
【００８６】
図８に相関検出手段１１８１の詳細な構成例を示す。この例はプリアンブルが１６サンプル分の既知信号から構成されていた場合を示している。
【００８７】
図９は、ａ）プリアンブルが理想的な場合と、ｂ）歪んでいる場合の相関値と平均電力との関係を示している。図９に示すように、プリアンブルが理想的な場合は相関値と平均電力の差が大きいのに比べ、歪んでいる場合は相関値と平均電力の差が小さくなっている。このことを利用して、信号の歪みを検出する信号として相関値と平均電力の差信号Ｓ２４を出力する。
【００８８】
制御手段１１１は受信強度検出信号Ｓ９、Ｓ１０、相関値と平均電力の差信号Ｓ２４、Ｓ２５を入力とし、受信強度検出信号Ｓ９、Ｓ１０と相関値と平均電力の差信号に応じてクロック停止制御信号Ｓ１１、Ｓ１２をそれぞれ出力し、合成パターンを選択する合成パターン選択信号Ｓ１３とアンテナ選択信号Ｓ１９を出力する。上記以外は実施の形態２の構成と同様である。
【００８９】
以降各部の動作をより詳細に説明する。実施の形態２と同様に、受信動作開始時はアンテナ切り替え手段１１４はアンテナ１００を常に選択し、受信手段１０２は、アンテナ１００で受信された受信信号Ｓ０をベースバンド帯の受信信号Ｓ２に変換し、受信手段１０３はアンテナ１０１で受信された受信信号Ｓ１をベースバンド帯の受信信号Ｓ３に変換し、それぞれ出力する。
【００９０】
制御手段１１１には、実施の形態２と同様に、受信強度検出信号Ｓ９、Ｓ１０と比較する第１の閾値と、受信強度検出信号Ｓ９とＳ１０の差と比較する第２の閾値が任意の値に設定できるものとする。第１の閾値はシステムに応じて十分受信できる受信強度を持った値とする。
【００９１】
第１の閾値に対する受信強度検出信号Ｓ９、Ｓ１０の比較結果と、第２の閾値に対する受信強度検出信号Ｓ９とＳ１０の差の比較結果とにより実施される合成パターンの選択例を図１７に示す。受信強度検出信号Ｓ９、Ｓ１０がともに第１の閾値を超えた場合以外は、実施される合成パターンの選択処理動作は実施の形態２と同様である。
【００９２】
受信強度検出信号Ｓ９、Ｓ１０がともに第１の閾値を超えた場合は、２系統ともに十分受信が可能な信号強度であると判断し、アンテナ切り替え手段１１４でアンテナを切り替えてアンテナ選択合成ダイバーシティとする。
【００９３】
このとき、制御手段１１１は、第２の閾値に対する受信強度検出信号Ｓ９とＳ１０の差が大きい場合は受信強度の大きい方の系統を選択するように、また受信強度の差があまりない場合は相関検出値と平均電力の差信号Ｓ２４、Ｓ２５が大きい系統、すなわち受信信号の歪が少ない系統を選択するように、アンテナ選択信号Ｓ１９でアンテナ切り替え手段１１４を制御し、合成パターンの選択として復調手段１０８から出力される復調信号Ｓ６を常に選択する選択合成を行う。
【００９４】
例えば相関値と平均電力の差信号においてＳ２５がＳ２４より大きかった場合は、相関値と平均電力の差信号Ｓ２５を検出した系統のアンテナ１０１をアンテナ選択信号Ｓ１９で選択するようにアンテナ切り替え手段１１４を制御し、ＡＦＣ及び同期手段１１８と復調手段１０８に対するクロック停止制御信号Ｓ１１を無効にし、受信手段１０３とＡＦＣ及び同期手段１１９と復調手段１０９に対するクロック停止制御信号Ｓ１２を有効にし、クロック発生手段１１２でのクロック発生を行い、クロック発生手段１１３で受信手段用クロックＳ１８とＡＦＣ及び同期手段用クロックＳ１５と復調手段用クロックＳ１７の発生を停止させる。
【００９５】
これにより、無線システムの中で一般に消費電力が大きいとされる高周波からベースバンド帯に変換する受信手段のクロックを停止させることができ、受信性能を劣化させることなくさらに消費電力の低減を図ることができる。なお、アンテナ選択合成ダイバーシティを選択した後における受信強度については実施の形態２と同様である。
【００９６】
上記のように受信強度検出信号Ｓ９、Ｓ１０と相関値と平均電力の差信号Ｓ２４、Ｓ２５に応じて各系統のクロックと合成パターンの選択制御を行う以外に、本実施の形態では変調方式によって各系統のクロックと合成パターンの選択制御を行うこともできる。
【００９７】
ここでは、変調方式をＢＰＳＫ、ＱＰＳＫ、１６ＱＡＭ、６４ＱＡＭのいずれかとする。変調方式は通常受信信号の中に情報として付加されている。この変調方式の情報Ｓ２６を変調方式検出手段１２０で取り出し、制御手段１１１にて変調方式に応じて各系統のクロックと合成パターンの選択制御を行う。
【００９８】
一般に加算合成ダイバーシティは多値化（１６ＱＡＭ、６４ＱＡＭ）された変調方式ほど効果があることを知られている。よって、６４ＱＡＭ、１６ＱＡＭの変調方式の場合は、受信強度検出信号Ｓ９、Ｓ１０及び相関値と平均電力の差信号Ｓ２４、Ｓ２５に関係なしに加算合成を行い、ＢＰＳＫ、ＱＰＳＫの変調方式の場合は、受信強度検出信号Ｓ９、Ｓ１０及び相関値と平均電力の差信号Ｓ２４、Ｓ２５に応じて上記のような各系統のクロックと合成パターンの選択制御を行う。
【００９９】
以上のように、各系統の受信信号強度とそれらの受信強度検出信号の差、相関値と平均電力の差信号、変調方式に応じて各系統のクロック発生制御と合成パターンの選択を行うことによって、受信性能を劣化させることなしに消費電力の低減を図ることができる。
【０１００】
また、本実施の形態において、実施の形態３及び４に示したような時分割処理を行うＡＦＣ及び同期手段１１５と時分割処理を行う復調手段１１６を用いた構成も可能である。また、本実施の形態における相関値と平均電力の差信号であるＳ２５とＳ２４の比較は任意の閾値との比較であっても良い。
【０１０１】
（実施の形態６）
図６は本発明の実施の形態６に係るダイバーシティ受信装置の構成を示すブロック図である。図６においては、図１に示した実施の形態１の構成に対して、ＡＦＣ及び同期手段１０６、１０７がそれぞれＡＦＣ及び同期手段１２１、１２２で置き換えられ、復調手段１０８、１０９がそれぞれ復調手段１２３、１２４で置き換えられた構成となっている。以下、実施の形態１との相違点を説明する。
【０１０２】
ＡＦＣ及び同期手段１２１、１２２は受信べースバンド信号Ｓ２、Ｓ３に加えて、制御手段１１１が受信強度検出信号Ｓ９、Ｓ１０を内部に保持する閾値と比較した結果である受信強度比較結果Ｓ２７、Ｓ２８をそれぞれ入力とし、受信強度比較結果Ｓ２７、Ｓ２８に応じてＡＦＣ処理及びシンボル同期検出処理を行い、処理後の受信信号Ｓ４、Ｓ５とこれらに対応した受信強度比較結果Ｓ２９、Ｓ３０とクロック停止要求信号Ｓ３３、Ｓ３４をそれぞれ出力する。
【０１０３】
図１０に受信する信号のフレーム構成を示す。フレーム構成は先頭にプリアンブル部３０１が付加され、データ部３０２はシンボル構成になっている。
【０１０４】
図１１にＡＦＣ及び同期手段１２１の構成を示す。図１１において、１２１０はＡＦＣ及び同期手段、１２１１は相関検出手段、１２１２は遅延手段、１２１３はクロック要求手段である。
【０１０５】
相関検出手段１２１１は既知信号からなるプリアンブルを使って相関を検出し、ＡＦＣ及び同期手段１２１０はその相関検出信号Ｓ３７からＡＦＣ処理及びシンボル同期処理を行いシンボルを検出する。
【０１０６】
遅延手段１２１２は受信強度比較結果Ｓ２７を相関検出信号Ｓ３７のタイミングで確定させて保持し、これをＡＦＣ処理及びシンボル同期処理分だけ遅延させ、処理後の受信信号Ｓ４のタイミングに合わせて受信強度比較結果Ｓ２９として出力する。これにより、受信強度比較結果Ｓ２９はシンボル内では変化せずシンボル単位で変化する。
【０１０７】
クロック要求手段１２１３は、受信強度比較結果Ｓ２７がＬｏｗのときクロック停止要求信号Ｓ３３を有効にし、受信強度比較結果Ｓ２７がＨｉｇｈのときクロック停止要求信号Ｓ２９を無効にする。ＡＦＣ及び同期手段１２２の構成も同様である。
【０１０８】
復調手段１２３、１２４はＡＦＣ処理及びシンボル同期検出処理された受信信号Ｓ４、Ｓ５に加えて受信強度比較結果Ｓ２９、Ｓ３０をそれぞれ入力とし、受信強度比較結果Ｓ２９、Ｓ３０に応じて復調処理を行い、処理後の復調信号Ｓ６、Ｓ７とこれらに対応した受信強度比較結果Ｓ３１、Ｓ３２とクロック停止要求信号Ｓ３５、Ｓ３６をそれぞれ出力する。
【０１０９】
図１２に復調手段１２３の構成を示す。図１２において、１２３０は復調手段、１２３１は遅延手段、１２３２はクロック要求手段である。遅延手段１２３１は受信強度比較結果Ｓ２９を復調処理分遅延させ、これを受信強度比較結果Ｓ３１として出力する。
【０１１０】
クロック要求手段１２３２は、受信強度比較結果Ｓ２９がＬｏｗのときクロック停止要求信号Ｓ３５を有効にし、受信強度比較結果Ｓ２９がＨｉｇｈのときクロック停止要求信号Ｓ３５を無効にする。復調手段１２４の構成も同様である。
【０１１１】
制御手段１１１は受信強度検出信号Ｓ９、Ｓ１０とクロック停止要求信号Ｓ３３、Ｓ３４、Ｓ３５、Ｓ３６を入力とし、受信強度検出信号Ｓ９、Ｓ１０を内部に保持する閾値と比較した結果である受信強度比較結果Ｓ２７、Ｓ２８と、クロック停止要求信号Ｓ３３、Ｓ３４、Ｓ３５、Ｓ３６に応じたクロック停止制御信号Ｓ１１、Ｓ１２を出力する。
【０１１２】
合成手段１１０は、入力される合成パターン選択信号Ｓ１３と受信強度比較結果Ｓ３１、Ｓ３２に応じて合成パターンを選択し、復調信号Ｓ６、Ｓ７を合成して合成復調信号Ｓ８を出力する。ここでは合成パターンとして、復調信号Ｓ６、Ｓ７のどちらかを選択する選択合成ダイバーシティと、復調信号Ｓ６、Ｓ７を加算する加算合成ダイバーシティのいずれかを選択するものとする。上記以外は実施の形態１の構成と同様である。
【０１１３】
以上のように、各手段の処理信号とともに、その処理信号に対応した受信強度比較結果を出力し、これらの受信強度比較結果に応じて各処理手段からクロック停止要求信号Ｓ３３、Ｓ３４、Ｓ３５、Ｓ３６出力することにより、制御手段１１１は各手段の処理遅延を考慮することなくクロックの制御をすることができ、制御を簡略化することができる。
【０１１４】
図１３は本実施形態のダイバーシティ受信装置の動作を説明するタイミングチャートである。以下、図１３を参照して本実施形態における各部の動作をより詳細に説明する。
【０１１５】
制御手段１１１には受信強度検出信号Ｓ９、Ｓ１０と比較する任意の閾値が設定できるものとし、受信強度比較結果Ｓ２７、Ｓ２８として受信強度検出信号Ｓ９、Ｓ１０が閾値以上であった場合はＨｉｇｈ、閾値以下の場合はＬｏｗを出力する。受信強度と比較する任意の閾値の値はシステムに応じて十分受信できる受信強度を持った値とする。
【０１１６】
図１３に示すように、受信強度比較結果Ｓ２７、Ｓ２８は相関検出信号Ｓ３７ごとに判定するため、１シンボル内では変化はしない。シンボル０の処理の場合は第１系統だけＨｉｇｈであり、第１系統の復調信号を選択する選択合成ダイバーシティとし、第２系統のＡＦＣ及び同期手段１２２と復調手段１２４からそれぞれクロック停止要求信号Ｓ３４、Ｓ３６が出力され、制御手段１１１は第２系統のＡＦＣ及び同期手段１２２と復調手段１２４のクロックを停止させる。
【０１１７】
シンボル１の処理の場合は第２系統だけＨｉｇｈであり、第２系統の復調信号を選択する選択合成ダイバーシティとし、第１系統のＡＦＣ及び同期手段１２１と復調手段１２３からそれぞれクロック停止要求信号Ｓ３３、Ｓ３５が出力され、制御手段１１１は第１系統のＡＦＣ及び同期手段１２１と復調手段１２３のクロックを停止させる。
【０１１８】
シンボル５の場合は２つの系統ともＬｏｗであり、制御手段１１１はクロック停止要求信号Ｓ３３とＳ３４またはＳ３５とＳ３６の２つの系統とも有効になっている場合にも、これらを無効とみなしてクロックを発生させ、復調信号Ｓ６、Ｓ７を加算する加算合成ダイバーシティを選択する。
【０１１９】
以上のように、各系統の受信信号強度と制御手段１１１が保持する閾値との比較結果に応じて、シンボルごとに各系統のクロック発生制御と合成パターンの選択を行うことにより、高速な移動体等のシステムにおいても受信性能を劣化させることなく消費電力の低減を図ることができる。
【０１２０】
なお、制御手段１１１では、外部の設定信号によりＡＦＣ及び同期処理クロック停止要求信号Ｓ３３、Ｓ３４と復調処理クロック停止要求信号Ｓ３５、Ｓ３６を無効にし、受信強度検出信号Ｓ９、Ｓ１０に応じてクロック制御信号Ｓ１１、Ｓ１２と合成パターン選択信号Ｓ１３を出力することにより、本実施の形態と実施の形態１の切り替え行うこともできる。また、実施の形態３の時分割処理を行う形態に置き換えた構成も可能である。
【産業上の利用可能性】
【０１２１】
本発明のダイバーシティ受信装置は、選択した系統以外への電力供給を停止することで、受信性能を劣化させること無く全体の消費電力を低減することができるという効果を有し、複数の系統から少なくとも１つの受信信号を選択するダイバーシティ受信装置等として有用である。
【図面の簡単な説明】
【０１２２】
【図１】本発明の実施形態１に係るダイバーシティ受信装置の構成を示すブロック図。
【図２】本発明の実施形態２に係るダイバーシティ受信装置の構成を示すブロック図。
【図３】本発明の実施形態３に係るダイバーシティ受信装置の構成を示すブロック図。
【図４】本発明の実施形態４に係るダイバーシティ受信装置の構成を示すブロック図。
【図５】本発明の実施形態５に係るダイバーシティ受信装置の構成を示すブロック図。
【図６】本発明の実施形態６に係るダイバーシティ受信装置の構成を示すブロック図。
【図７】本発明の実施形態５に係るダイバーシティ受信装置におけるＡＦＣ及び同期手段の構成を示すブロック図。
【図８】本発明の実施形態５に係るダイバーシティ受信装置における相関検出手段の構成を示すブロック図。
【図９】本発明の実施形態５に係るダイバーシティ受信装置における伝送路歪の影響による相関値と平均電力との関係示す波形図。
【図１０】本発明の実施形態６に係るダイバーシティ受信装置における受信するパケットのフレーム構成を示す図。
【図１１】本発明の実施形態６に係るダイバーシティ受信装置におけるＡＦＣ及び同期手段の構成を示すブロック図。
【図１２】本発明の実施形態６に係るダイバーシティ受信装置における復調手段の構成を示すブロック図。
【図１３】本発明の実施形態６に係るダイバーシティ受信装置の動作を説明するタイミングチャート。
【図１４】従来のダイバーシティ受信装置の構成例を示すブロック図。
【図１５】本発明の実施形態１と３に係るダイバーシティ受信装置における合成パターンの選択例を示す図。
【図１６】本発明の実施形態２と４に係るダイバーシティ受信装置における合成パターンの選択例を示す図。
【図１７】本発明の実施形態５に係るダイバーシティ受信装置における合成パターンの選択例を示す図。
【符号の説明】
【０１２３】
１００、１０１  アンテナ
１０２、１０３  受信手段
１０４、１０５  受信信号強度検出手段
１０６、１０７、１１８、１１９、１２１、１２２  ＡＦＣ及び同期手段
１０８、１０９、１２３、１２４  復調手段
１１０  合成手段
１１１  制御手段
１１２、１１３、１１７  クロック発生手段
１１４  アンテナ切り替え手段
１１５  時分割ＡＦＣ及び同期手段
１１６  時分割復調手段
１２０  変調方式検出手段
２００、２０１  アンテナ
２０２、２０３  受信手段
２０４、２０５  受信信号強度検出手段
２０６、２０７  ＡＦＣ及び同期手段
２０８、２０９  復調手段
２１０  合成手段
３０１  プリアンブル部
３０２  データ部
１１８０、１２１０  ＡＦＣ及び同期手段
１１８１、１２１１  相関検出手段
１１８２  平均電力測定手段
１１８３  減算手段
１１８４  保持手段
１１８５  乗算手段
１１８６  加算手段
１２１２、１２３１  遅延手段
１２１３、１２３２  クロック要求手段
１２３０  復調手段
【図１】
2007158515.tif 000003
【図２】
2007158515.tif 000004
【図３】
2007158515.tif 000005
【図４】
2007158515.tif 000006
【図５】
2007158515.tif 000007
【図６】
2007158515.tif 000008
【図７】
2007158515.tif 000009
【図８】
2007158515.tif 000010
【図９】
2007158515.tif 000011
【図１０】
2007158515.tif 000012
【図１１】
2007158515.tif 000013
【図１２】
2007158515.tif 000014
【図１３】
2007158515.tif 000015
【図１４】
2007158515.tif 000016
【図１５】
2007158515.tif 000017
【図１６】
2007158515.tif 000018
【図１７】
2007158515.tif 000019